(57)【要約】【課題】細胞の収率を向上しつつ、細胞群内に含まれる油分を容易に除去する。【解決手段】生体組織を消化して得られた細胞懸濁液を収容し、底部２ｂを半径方向外方に向けて回転させられることにより、細胞懸濁液を底部２ｂ側から順に細胞群Ｂとそれよりも上層の上清Ｃおよび油分Ｄとに分離する容器本体２と、該容器本体２内に挿入され、容器本体２内に分離された細胞群Ｂよりも上層の上清Ｃおよび油分Ｄを吸引するための吸引口４ａを備える排液管４とを備え、該排液管４の吸引口４ａが、半径方向外方に向かって底部２ｂから離れる方向に傾斜して延びている遠心分離容器１を提供する。【選択図】図６
2012101138.tif 000002
【特許請求の範囲】
【請求項１】
生体組織を消化して得られた細胞懸濁液を収容し、底部を半径方向外方に向けて回転させられることにより、前記細胞懸濁液を前記底部側から順に細胞群とそれよりも上層の上清および油分とに分離する容器本体と、
該容器本体内に挿入され、容器本体内に分離された細胞群よりも上層の上清および油分を吸引するための吸引口を備える排液管とを備え、
該排液管の前記吸引口が、半径方向外方に向かって前記底部から離れる方向に傾斜して延びている遠心分離容器。
【請求項２】
前記容器本体が、底部に向かって先細になるテーパ内面と、該テーパ内面の中央に、該テーパ内面よりもテーパ角度が小さく先端が閉塞された有底筒状の先端部とを備え、
前記吸引口が、前記容器本体の前記テーパ内面と前記先端部との境界よりも前記テーパ内面側に開口している請求項１に記載の遠心分離容器。
【請求項３】
前記吸引口が、前記テーパ内面の延長方向に沿う方向に延びている請求項２に記載の遠心分離容器。
【請求項４】
前記吸引口が、前記容器本体の中心軸に対して３０°より大きく９０°未満の角度をなして配置されている請求項１に記載の遠心分離容器。
【請求項５】
前記排液管が、前記容器本体の中心軸に沿って延び、
前記吸引口が、前記排液管の先端近傍から半径方向外方に向かって複数管状に延びている請求項１から請求項４のいずれかに記載の遠心分離容器。
【請求項６】
前記排液管が、前記容器本体の中心軸に沿って延び、
前記吸引口が、前記排液管の周方向全周にわたって形成されている請求項１から請求項４のいずれかに記載の遠心分離容器。
【発明の詳細な説明】
【技術分野】
【０００１】
本発明は遠心分離容器に関するものである。
【背景技術】
【０００２】
脂肪組織等の生体組織を消化して得られる細胞懸濁液を遠心分離容器に収容して遠心力を作用させると、最下層に比重の大きな細胞群、その上層である中間層に上清、そして、最上層に比重の小さいグリセリド等の油分の順に分離される。最下層に分離された細胞群を生体移植材として使用するには、最上層の油分は極力除去する必要がある。
【０００３】
従来、この油分を除去するために、油分より比重の大きな生理食塩水等を遠心分離容器内に供給することにより、比重の小さい油分を遠心分離容器内から溢れさせて除去する方法が知られている（例えば、特許文献１参照。）。
【先行技術文献】
【特許文献】
【０００４】
【特許文献１】特開２０１０−１２７７０８号公報
【発明の概要】
【発明が解決しようとする課題】
【０００５】
しかしながら、遠心分離容器内に生理食塩水等の油分より比重の大きな液体を供給していくと、底部に遠心分離されていた細胞群も生理食塩水等によって攪拌されるため、必要な細胞の一部も遠心分離容器内から溢れ出てしまうことがあり、収率が低下するという不都合がある。また、遠心分離容器内の比較的下側に３層に分離された細胞懸濁液に生理食塩水等を供給していくと、油分が遠心分離容器内を上昇する間に、その一部が遠心分離容器の内壁面に付着してしまうので、最終的に採取される細胞群から除去しきれないという不都合もある。
【０００６】
本発明は上述した事情に鑑みてなされたものであって、細胞の収率を向上しつつ、細胞群内に含まれる油分を容易に除去することができる遠心分離容器を提供することを目的としている。
【課題を解決するための手段】
【０００７】
上記目的を達成するために、本発明は以下の手段を提供する。
本発明は、生体組織を消化して得られた細胞懸濁液を収容し、底部を半径方向外方に向けて回転させられることにより、前記細胞懸濁液を前記底部側から順に細胞群とそれよりも上層の上清および油分とに分離する容器本体と、該容器本体内に挿入され、容器本体内に分離された細胞群よりも上層の上清および油分を吸引するための吸引口を備える排液管とを備え、該排液管の前記吸引口が、半径方向外方に向かって前記底部から離れる方向に傾斜して延びている遠心分離容器を提供する。
【０００８】
本発明によれば、容器本体内に細胞懸濁液を収容し、底部を半径方向外方に向けて回転させることにより、底部の方向に向かう遠心力を作用させると、底部側から比重の大きい順に、細胞、上清および油分が層状に分離される。そして、排液管によって吸引すると、吸引口から上清および油分が吸引されて容器本体内から排出され、最終的に回収される細胞群内における油分を低減することができる。
【０００９】
この場合において、吸引口が、半径方向外方に向かって底部から離れる方向に傾斜して延びているので、容器本体内に分離された細胞群よりも油分の方向に吸引力を及ぼし易く、油分を効率的に排出することができる。その結果、容器本体内に分離された細胞群を排出し難く、細胞の収率を向上することができるとともに、最終的に採取される細胞群内に含まれる油分を低減することができる。
【００１０】
上記発明においては、前記容器本体が、底部に向かって先細になるテーパ内面と、該テーパ内面の中央に、該テーパ内面よりもテーパ角度が小さく先端が閉塞された有底筒状の先端部とを備え、前記吸引口が、前記容器本体の前記テーパ内面と前記先端部との境界よりも前記テーパ内面側に開口していてもよい。
【００１１】
このようにすることで、テーパ内面と先端部との境界よりテーパ内面側に配置された吸引口から吸引することで、先端部に分離された細胞群に吸引力が及ぶのをさらに確実に防止することができ、その分の吸引力を油分および上清の排出に振り当てて、効率的に油分を排出することができる。
【００１２】
また、上記発明においては、前記吸引口が、前記テーパ内面の延長方向に沿う方向に延びていてもよい。
このようにすることで、底部を鉛直下方に向けて配置した容器本体内から上清および油分を排出する際に、排液管を吸引すると、上清および油分は容器本体のテーパ内面に沿って中央に向かうように流れるので、その流れの先に設けられた吸引口から効率的に吸引して、容器本体の外部に排出することができる。
【００１３】
また、上記発明においては、前記吸引口が、前記容器本体の中心軸に対して３０°より大きく９０°未満の角度をなして配置されていてもよい。
このようにすることで、細胞群よりも油分が吸引され易く、細胞の収率の向上と、油分の効率的な除去とを図ることができる。
【００１４】
また、上記発明においては、前記排液管が、前記容器本体の中心軸に沿って延び、前記吸引口が、前記排液管の先端近傍から半径方向外方に向かって複数管状に延びていてもよい。
このようにすることで、半径方向外方に向かって複数の吸引口を管状に延ばすことにより、吸引口間の空間を確保して、細胞の底部への移動が阻害されてしまう不都合の発生を防止しつつ、吸引口を容器本体の内面に近接させて、より、効率的に油分を吸引、除去することができる。
【００１５】
また、上記発明においては、前記排液管が、前記容器本体の中心軸に沿って延び、前記吸引口が、前記排液管の周方向全周にわたって形成されていてもよい。
このようにすることで、排液管を介した吸引力を、周方向の全周にわたって均等に及ぼすことができ、吸引され難い位置に油分が残ってしまう不都合の発生を防止することができる。
【発明の効果】
【００１６】
本発明によれば、細胞の収率を向上しつつ、細胞群内に含まれる油分を容易に除去することができるという効果を奏する。
【図面の簡単な説明】
【００１７】
【図１】本発明の一実施形態に係る遠心分離容器を示す縦断面図である。
【図２】図１の遠心分離容器の、吸引口を示す先端部近傍の横断面図である。
【図３】図１の遠心分離容器の、吸引口を示す先端部近傍の部分的な縦断面図である。
【図４】図１の遠心分離容器に細胞懸濁液を収容した状態を示す縦断面図である。
【図５】図１の遠心分離容器内の細胞懸濁液を遠心分離した状態を示す縦断面図である。
【図６】図１の遠心分離容器において、排液管に負圧を供給して吸引している状態を示す縦断面図である。
【図７】図１の遠心分離容器の変形例であって、吸引口を全周にわたって設けた例を示す部分的な縦断面図である。
【図８】図１の遠心分離容器の変形例であって、吸引口を管状に形成した例を示す縦断面図である。
【発明を実施するための形態】
【００１８】
本発明の一実施形態に係る遠心分離容器１について、図面を参照して以下に説明する。
本実施形態に係る遠心分離容器１は、図１に示されるように、略有底円筒状の容器本体２と、該容器本体２の上端開口２ａを閉塞する蓋体３と、該蓋体３を貫通して容器本体２の中心軸に沿って内部に延びる排液管４と、該排液管４の中央を貫通して容器本体２の底部２ｂ近傍に先端開口５ａを配置する給排管５とを備えている。
【００１９】
容器本体２は、円筒状の側壁の一端に、先端に向かって先細になるテーパ内面２ｃを有し、さらに、該テーパ内面２ｃの中央には、テーパ内面２ｃに連続して、テーパ内面２ｃよりもテーパ角度が小さく、先端が閉塞された有底円筒状の先端部２ｄとを備えている。
【００２０】
排液管４および給排管５は、それぞれ直管状に形成され、排液管４は給排管５の半径方向外方に、給排管５と同心に、２重管状に設けられている。排液管４と給排管５との間に形成された排液用の円筒状の隙間は、その先端において閉塞されるとともに、先端近傍において、半径方向外方に向かって、次第に底部２ｂから離れる方向に傾斜して延びる吸引口４ａに接続されている。
【００２１】
吸引口４ａは、図２に示されるように、排液管４の周方向に間隔をあけて複数、例えば、４箇所に設けられている。
吸引口４ａの傾斜角度は、図３に示されるように、容器本体２の中心軸に対して３０°より大きく９０°より小さい範囲の角度、例えば、４５°に設定されている。
また、吸引口４ａは、容器本体２のテーパ内面２ｃと先端部２ｄとの境界よりもテーパ内面２ｃ側の位置に開口している。
【００２２】
このように構成された本実施形態に係る遠心分離容器１の作用について以下に説明する。
本実施形態に係る遠心分離容器１を用いて、脂肪組織等の生体組織を消化して得られた細胞懸濁液Ａを遠心分離するには、まず、図４に示されるように、細胞懸濁液Ａを容器本体２内に収容する。
【００２３】
このとき、容器本体２の底部２ｂを鉛直下方に向けて配置し、細胞懸濁液Ａの液面が、容器本体２のテーパ内面２ｃより上方に配される量の細胞懸濁液Ａを収容する。そして、蓋体３によって上部開口２ａを閉塞した状態で、図示しない遠心分離機によって底部２ｂが半径方向外方に向かうように回転させる。
【００２４】
これにより、容器本体２内の細胞懸濁液Ａには、底部２ｂに向かう遠心力が作用し、図５に示されるように、細胞懸濁液Ａ内の各成分が、比重の大きい順に底部２ｂ側から層状に並ぶように分離させられる。
そして、この後に、遠心分離機を停止して、遠心力を消滅させ、容器本体２の底部２ｂを鉛直下向きに配置することにより、容器本体２内には、下から順に、細胞群Ｂ、上清Ｃ、油分Ｄが３層に分離した状態に得られる。
【００２５】
この状態で、排液管４の吸引口４ａは、中間層の上清Ｃの中に開口しており、排液管４に負圧が供給されると、容器本体２内の上清Ｃおよびそれより上層の油分Ｄが、排液管４内に吸引されて容器本体２外に排出されていくことになる。
すなわち、吸引口４ａは半径方向外方に向かって、次第に底部２ｂから離れる方向、つまり、底部２ｂを鉛直下方に配置した状態では、吸引口４ａは半径方向外方に向かって斜め上向きに傾斜しているので、排液管４に供給した負圧による吸引力は、吸引口４ａより上方に及ぼされ、上清Ｃおよび油分Ｄが効果的に吸引されていくことになる。
【００２６】
また、吸引口４ａは、容器本体２のテーパ内面２ｃと先端部２ｄとの境界よりもテーパ内面２ｃ側、すなわち、底部２ｂを鉛直下方に配置した状態では、境界よりも上方に開口しているので、先端部２ｄ側には吸引力が及び難く、先端部２ｄに分離されている細胞群Ｂが吸引されてしまうことを防止することができる。
【００２７】
そして、図６に示されるように、吸引口４ａから上清Ｃが吸引され始めると、容器本体２内における上清Ｃおよび油分Ｄは、容器本体２のテーパ内面２ｃに沿って中央に向かって流れるので、半径方向外方に向かって斜め上向きに延びている吸引口４ａにスムーズに吸引されていく。すなわち、容器本体２内に分離された油分Ｄは、吸引口４ａから効率的に排出される。
【００２８】
このように、本実施形態に係る遠心分離容器１によれば、細胞群Ｂの排出を防止しつつ、油分Ｄおよび上清Ｃを優先的に吸引して排出するので、最終的に得られる細胞群Ｂの収率を向上し、かつ、油分Ｄの濃度を低減し、治療効果の高い生体移植材を得ることができるという利点がある。
【００２９】
なお、本実施形態においては、吸引口４ａを４箇所に設けた例を示したが、これに限定されるものではなく、その数は、任意でよい。吸引口４ａの数を多くすることにより、油分Ｄが吸引されずに残る可能性を低減することができる。したがって、吸引口４ａの数は多いほどよい。また、図７に示されるように、吸引口４ａが全周にわたって設けられていてもよい。
【００３０】
また、本実施形態においては、吸引口４ａは、容器本体２の中心軸に対して４５°の角度をなす方向に延びていることとしたが、３０°より大きく９０°より小さい範囲の任意の角度をなす方向の延びていてもよい。
【００３１】
また、図８に示されるように、吸引口４ａは管状に突出して設けられていてもよい。このようにすることで、隣接する吸引口４ａの間に空間を形成し、容器本体２内の細胞群Ｂが、遠心力によって底部２ｂ側に移動する際の通路を確保することができる。また、吸引口４ａの開口を容器本体２の内面に近接させることで、内面に付着しがちな油分Ｄにさらに強力な吸引力を作用させて、効率的に排出することができるという利点もある。
【符号の説明】
【００３２】
Ａ  細胞懸濁液
Ｂ  細胞群
Ｃ  上清
Ｄ  油分
１  遠心分離容器
２  容器本体
２ｂ  底部
２ｃ  テーパ内面
２ｄ  先端部
４  排液管
４ａ  吸引口
【図１】
2012101138.tif 000003
【図２】
2012101138.tif 000004
【図３】
2012101138.tif 000005
【図４】
2012101138.tif 000006
【図５】
2012101138.tif 000007
【図６】
2012101138.tif 000008
【図７】
2012101138.tif 000009
【図８】
2012101138.tif 000010